(57)【要約】  少なくとも１つの網刃と、この網刃に対して相対的にモータ運転による振動する少なくとも１つのシェービング刃とを備えたシェーバーヘッド（２）と、該シェーバーヘッド（２）に被装するカバー（３）とを有するシェーバーにおいて、カバー（３）が、シェービング刃の振動運動の方向（６）に対して横方向で延在している切欠き（５）を有していて、この切欠き（５）の長手方向軸線が、少なくとも１つの刃ヘッドの振動運動の方向（６）との間に、少なくとも部分的に９０°とは異なる角度を形成している。
2008522773.tif 000002
【特許請求の範囲】
【請求項１】
シェーバーであって、少なくとも１つの網刃と、該網刃に対してモータ運転により相対的に振動する少なくとも１つのシェービング刃とを備えたシェーバーヘッド（２）と、該シェーバーヘッド（２）に被装するカバー（３）とが設けられている形式のものにおいて、カバー（３）が、シェービング刃の振動運動の方向（６）に対して横方向に延在している切欠き（５）を有しており、該切欠き（５）の長手方向軸線（７）が、少なくとも１つのシェービング刃の振動運動の方向（６）との間に、少なくとも部分的に９０°とは異なる角度を形成していることを特徴とするシェーバー。
【請求項２】
切欠き（５）が、波形のスリットとして形成されている、請求項１記載のシェーバー並びにヘアーカッター。
【請求項３】
振動運動の方向に対して横方向で延びているスリット（５）が、振動運動の方向（６）に対して傾けられたスリット領域を交互に有しており、隣接するスリット領域の長手方向軸線（７）が、互いに８０〜１２０°の角度、特に９０°より大きい角度を形成している、請求項１または２記載のシェーバー。
【請求項４】
カバー（３）が、切欠き（５）の領域でシェーバーヘッドの包絡面に相応する形状を付与されている、請求項１から３までのいずれか一項記載のシェーバー。
【請求項５】
切欠き（５）の縁部と、カバー（３）の包絡面から突出している突起（８）または条片が、隣り合って配置されている、請求項１から４までのいずれか一項記載のシェーバー。
【請求項６】
切欠きの境界面が、切込みと突出部とを有しているか、または歯をもって形成されている、請求項１から５までのいずれか一項記載のシェーバー。
【請求項７】
互いに種々異なる材料厚さまたは包絡面の種々異なる曲率半径を有する複数のカバー（３）が、同一のシェーバーヘッド（２）をクランプするように被嵌可能である脚部をもって設けられている、請求項１から６までのいずれか一項記載のシェーバー。
【請求項８】
シェーバーに装着するためのカバーであって、少なくとも１つの網刃と、該網刃に対してモータ運転により相対的に振動する少なくとも１つのシェービング刃とを備えたシェーバーヘッド（２）が設けられている形式のものにおいて、カバー（３）が、シェービング刃の振動運動の方向に対して横方向に延在している切欠き（５）を有しており、該切欠き（５）の長手方向軸線（７）が、少なくとも１つのシェービング刃の振動運動の方向（６）との間に、少なくとも部分的に９０°とは異なる角度を形成していることを特徴とする、当該シェーバーに装着するためのカバー。
【請求項９】
切欠き（５）が、波形のスリットとして形成されている、請求項８記載のカバー。
【請求項１０】
振動運動の方向に対して横方向で延びているスリット（５）が、振動運動の方向（６）に対して傾けられたスリット領域を交互に有しており、隣接するスリット領域の長手方向軸線（７）が、互いに８０〜１２０°の角度、特に９０°より大きい角度を形成している、請求項８または９記載のカバー。
【請求項１１】
カバー（３）が、切欠き（５）の領域で、シェーバーヘッドの包絡面に相応する形状を付与されている、請求項８から１０までのいずれか一項記載のカバー。
【請求項１２】
切欠き（５）の縁部と、カバー（３）の包絡面から突出している突起（８）または条片が、隣り合って配置されている、請求項８から１１までのいずれか一項記載のカバー。
【請求項１３】
切欠きの境界面が、切込みおよび突出部を有しているか、または歯をもって形成されている、請求項８から１２までのいずれか一項記載のカバー。
【請求項１４】
互いに種々異なる材料厚さまたは包絡面の種々異なる曲率半径を有する複数のカバー（３）が、同一のシェーバーヘッド（２）をクランプするように被嵌可能である脚部をもって設けられている、請求項８から１３までのいずれか一項記載のカバー。
【請求項１５】
シェービング刃の振動運動の方向（６）に対して横方向に延在している切欠き（５）が、振動運動の方向（６）で所定の幅を有しており、該幅が、この幅に対して横方向で測定した切欠きの長さよりも僅かであり、切欠き（５）の長手方向軸線（７）は、少なくとも１つのシェービング刃の振動運動の方向（６）との間に、少なくとも部分的に９０°とは異なる角度を形成している、請求項８から１４までのいずれか一項記載のカバー。
【発明の詳細な説明】
【技術分野】
【０００１】
本発明は、少なくとも１つの網刃と、この網刃に対して相対的にモータ運転式に振動する少なくとも１つのシェービング刃とを備えたシェーバーヘッドと、このシェーバーヘッドに被装するカバーとを有するシェーバーに関する。
【０００２】
シェーバーの種々異なる構成が公知である。回転式の刃を有する機器の他に、少なくとも１つの網刃を有するシェーバーヘッドがとりわけ公知である。網刃に対してシェービング刃ブロックは相的に振幅運動する。刃ブロックの構成においても、多数のヴァリエーションが提案されてきた。網刃の平面に対してほぼ垂直に向けられた切刃の他に、スリット付けされた刃も公知である。これらの刃は、網刃の相応な切欠きに対して相対的に振幅運動する。公知のシェーバーヘッドには、たいてい並んで配置された複数の刃ブロックが設けられている。この場合、短い毛をシェービングするための構成の他に、特に有利には別体のロングヘアーカッターが設けられていてよく、このロングヘアーカッターはカッティングコームプレートと、このカッティングコームプレートに対して相対的に動かされるカッティング刃とから成っていて、たいていシェーバーまたはヘアーカッターのケーシングで摺動可能に案内されている。その際、ロングヘアーカッターに被装するスペーサコームを配置することができる。この場合、ロングヘアーカッターとスペーサコームとの間の間隔を調節することにより毛の長さが調整される。この目標のために、たとえばスペーサコームは相応な高さ調節を行うことができる。欧州特許出願公告第４４０９８０号明細書記載の構成では、慣用の配置形式とは異なり、ロングヘアーカッター用のスペーサコームは、シェービング部分とロングヘアーカッター部分とにわたって差込み可能で、ケーシングに位置固定式にロック可能な部材として形成されている。今や位置固定式のスペーサコームをこのようなシェーバーヘッドに装着すると、ロングヘアーカッターを調節することにより、スペーサコームとロングヘアーカッターとの間の相応な間隔と、ひいては所望の毛長さを調整することができる。こうしてヘアーカッターの機能を提供することができる。
【０００３】
しかしロングヘアーカッターは、比較的短いひげを剃ることには必ずしも適していない。むしろ一般的にロングヘアーカッターに使用するスペーサコームは、ひげが生えている全顔面領域を確実にとらえることは不可能であり、この場合、怪我の恐れは顕著である。しかし、ひげ剃りにおいてもカット長さの調整を行うという要求がある。従って、本発明は冒頭で述べた形式のシェーバーを改良して、今や皮膚表面に達するまで完全にひげを剃るのではなく、複雑な付加的な構成部材を必要とせずに、むしろひげを規定のひげ長さにカットすることができる形式のものを提供することを目指している。
【０００４】
この課題を解決するための本発明によるシェーバーは、主として、シェーバーヘッドのカバーが、シェービング刃の振動運動の方向に対して横方向で延在している切欠きを有していて、これらの切欠きの長手方向軸線が、少なくとも１つのシェービング刃の振動運動方向と、少なくとも部分的に９０°とは異なる角度を形成する。ひげ長さの規定のために、通常は保護キャップとしてこの種のシェーバーに被装するカバーの横断面もしくは肉厚を利用し、かつカバーが規定された切欠きを備えていることにより、慣用に網刃を防護する一方で、この種の切欠きもしくはスリットを通ってひげを網刃に供給することができる。こうして、ひげをカバーの材料厚さに相応した長さにカットすることができる。同時にこの種のカバーは、湿分がシェーバーヘッドから従来通りの使用後に蒸発し得るという利点を有している。この場合、ひげトリマーとしての所望の使用のために切欠きのジオメトリを、ひげを相応に確実に起立させて、とらえ、ひいては所望の程度で所望にカットできるように最適化することができる。このことは振動運動方向に対する切欠きの長手方向軸線の傾き状態により保証される。なぜならばこの種のシェーバーは通常、刃ブロックの振動運動の方向に対してほぼ垂直に皮膚に沿って案内されるからである。この運動時にはひげは切欠きもしくはスリットの縁部とぶつかり、こうして網刃の方向に退けられ、その結果、ひげはシェービング刃によって確実にとらえることができる。このことは公知の一連のシェーバーヘッドが、網刃に対してほぼ垂直に向けられた切刃の他にスリット刃も有していればいるほどより当てはまる。これらのスリット刃は、網刃の切欠きに対して相対的に振動運動し、従って、この事例では一般的に比較的大きなスリットを考慮して、特に、比較的長い毛を確実にとらえることに適している。これとは反対に、たいていの網刃は、比較的小さな貫通部しか有しておらず、これらの貫通部は、毛が頻繁にその元の位置から相応に進出する場合にのみ、長い毛をカットするために有効に使用することができる。このことが特に簡単に達成されるのは、有利な改良形によれば、切欠きが波形のスリットとして形成されているような構成である場合である。
【０００５】
ひげをとらえるための特に有利なジオメトリは、振動運動の方向に対して横方向に延びているスリットが、振動運動の方向に対して交互に傾けられたスリット領域を有していることにより達成することができる。この場合、隣接するスリット領域の長手方向軸線は、８０〜１２０°、特に９０°より大きい角度を互いに成している。この構成によって、ひげの残留長さの良好な不変性が獲得でき、ひいてはいわゆる「３日ひげ」の印象を極めて僅かな手間で獲得することができる。
【０００６】
ひげを起立させて、シェービング刃への確実な供給を促進するために、有利には、スリットの縁部とカバーの包絡面から突出している突起または条片が、隣り合って配置されている構成になっている。この場合、条片または突起を、毛がシェービング方向で配向されて、場合によっては起立され切欠きに供給されるように配置することができる。突起または条片を、たとえばスリットの狭幅側に配置することができるか、またはスリットの両狭幅側に配置することができる。スリットが、シェービング刃の振動方向に対して横方向に分けられて形成されている場合に備えて、突起はたとえばカバーの縁部に配置することができ、分けられて形成されたスリットの両領域間でカバーの中央に配置することができる。毛の起立を改善するために、突起または条片はカバーと比べて軟質材料、たとえば軟質プラスチックからから形成されていてよい。この構成により皮膚の伸張も同時にもたらされ、この皮膚の伸張は付加的にひげの起立に繋がる。突起または条片は、カバーに直接配置することができるか、またはカバーに取り付けることができる別体の支持エレメントに直接は位置することができる。
【０００７】
切欠きの境界面が切込みと突出部とを有しているか、または歯をもって形成されていると有利な構成ももたらされる。これにより複数の縁辺部が付加的に提供される。これらの縁辺部はひげの起立および配向に役立つ。網刃の全領域にわたって均一なカッティング長さを得るために、有利には、カバーが切欠きの領域にシェーバーヘッドの包絡面に相応する形状を付与されているように構成が改良される。従って、シェービングシステムの全領域にわたって、シェービングシステムとカバーとの間にほぼ均等な間隔が保証される。この場合、カバーはほぼシェーバーヘッドに直接載置することができる。
【０００８】
種々異なる毛の長さを得るために、有利には、本発明によるシェーバーには相応に複数のカバーキャップを提供することができる。この場合、有利にはこの構成は、互いに種々異なる材料厚さと、包絡面の種々異なる曲率半径とを有する複数のカバーが、同一のシェーバーヘッドをクランプするように被嵌可能な脚部をもって設けられている。
【０００９】
本発明に係るシェーバーは、少なくとも１つの網刃と、該網刃に対してモータ運転により相対的に振動する少なくとも１つのシェービング刃とを備えたシェーバーヘッドと、該シェーバーヘッドに被装するカバーとが設けられている形式のものにおいて、カバーが、シェービング刃の振動運動の方向に対して横方向に延在している切欠きを有しており、該切欠きの長手方向軸線が、少なくとも１つのシェービング刃の振動運動の方向との間に、少なくとも部分的に９０°とは異なる角度を形成しており、振動運動の方向に対して横方向で延びているスリットが、振動運動の方向に対して傾けられたスリット領域を交互に有しており、隣接するスリット領域の長手方向軸線が、互いに８０〜１２０°の角度、特に９０°より大きい角度を形成していることを特徴とする。
【００１０】
本発明に係るシェーバーは、有利には、切欠きが、波形のスリットとして形成されている。
【００１１】
本発明に係るシェーバーは、有利には、カバーが、切欠きの領域でシェーバーヘッドの包絡面に相応する形状を付与されている。
【００１２】
本発明に係るシェーバーは、有利には、切欠きの縁部と、カバーの包絡面から突出している突起または条片が、隣り合って配置されている。
【００１３】
本発明に係るシェーバーは、有利には、切欠きの境界面が、切込みと突出部とを有しているか、または歯をもって形成されている。
【００１４】
本発明に係るシェーバーは、有利には、互いに種々異なる材料厚さまたは包絡面の種々異なる曲率半径を有する複数のカバーが、同一のシェーバーヘッドをクランプするように被嵌可能である脚部をもって設けられている。
【００１５】
本発明に係るシェーバーに装着するためのカバーは、シェーバーに装着するためのカバーであって、少なくとも１つの網刃と、該網刃に対してモータ運転により相対的に振動する少なくとも１つのシェービング刃とを備えたシェーバーヘッドが設けられている形式のものにおいて、カバーが、シェービング刃の振動運動の方向に対して横方向に延在している切欠きを有しており、該切欠きの長手方向軸線が、少なくとも１つのシェービング刃の振動運動の方向との間に、少なくとも部分的に９０°とは異なる角度を形成し、振動運動の方向に対して横方向で延びているスリットが、振動運動の方向に対して傾けられたスリット領域を交互に有しており、隣接するスリット領域の長手方向軸線が、互いに８０〜１２０°の角度、特に９０°より大きい角度を形成していることを特徴とする。
【００１６】
本発明に係るカバーは、有利には、切欠きが、波形のスリットとして形成されている。
【００１７】
本発明に係るカバーは、有利には、カバーが、切欠きの領域で、シェーバーヘッドの包絡面に相応する形状を付与されている。
【００１８】
本発明に係るカバーは、有利には、切欠きの縁部と、カバーの包絡面から突出している突起または条片が、隣り合って配置されている。
【００１９】
本発明に係るカバーは、有利には、切欠きの境界面が、切込みおよび突出部を有しているか、または歯をもって形成されている。
【００２０】
本発明に係るカバーは、有利には、互いに種々異なる材料厚さまたは包絡面の種々異なる曲率半径を有する複数のカバーが、同一のシェーバーヘッドをクランプするように被嵌可能である脚部をもって設けられている。
【００２１】
本発明に係るカバーは、有利には、シェービング刃の振動運動の方向に対して横方向に延在している切欠きが、振動運動の方向で所定の幅を有しており、該幅が、この幅に対して横方向で測定した切欠きの長さよりも小さくなっており、切欠きの長手方向軸線は、少なくとも１つのシェービング刃の振動運動の方向との間に、少なくとも部分的に９０°とは異なる角度を形成している。
【００２２】
以下に、本発明の実施例を概略的な図面につき詳しく説明する。図１および図２には、カバーを装着したシェーバーの斜視図が示してあり、図３および図４には、それぞれシェーバーヘッドに被装するカバーの拡大図が示してあり、図５および図６には、カバーの変化実施例が示してあり、図７には、図５および図６に示した構成のスリットの拡大図が示してある。
【００２３】
図１および図２には、モータを有するシェーバーのベース部分が符号１で示されている。符号２でシェーバーヘッドが示されていて、このシェーバーヘッド２にカバー３が装着されている。このカバー３の領域４は、シェーバーに設けられているロングヘアーカッターを覆っていて、このようにして損壊から保護している。カバー３は波形に延びるスリット５を有していて、図３および図４に拡大して示した。
【００２４】
図３には、刃ヘッドの振動運動の方向が、符号６で概略的に示されていて、波形に延びているスリット５の個々の区分は、それぞれ鋭角を成して振動運動の方向に配置されているのが明らかである。この場合、これらの区分の軸線は符号７で概略的に示してある。この場合、それぞれ直線状に延びる区分のこれらの軸線７と振動運動（軸線６で示す）の方向との間には、それぞれ９０°より小さな角度αが形成される。この場合、波形のスリットの直線状に延びている区分の軸線７は、２αの所定の角度をオーダ１００°で形成する。
【００２５】
図５には今やカバーキャップの変化実施例が示してあり、このカバーキャップではスリット５にそれぞれ突起８が対応配置されている。これらの突起８はひげをシェービング方向に配向して、スリットに供給するために働く。図５の実施例の場合には、各スリットに３つの突起８が対応配置されている。この場合、突起はそれぞれスリットの一方の狭幅側にしか配置されていない。しかし既に構成されているように、突起はスリットの両狭幅側に配置することもできる。図６の構成の場合には、各スリットには１つの比較的大きな突起しか対応配置されていない。スリット５の境界面は歯状に構成されていてよく、たとえば符号９で示されたスリットに基づき示してある。歯状の境界面の拡大図が図７に示してある。
【図面の簡単な説明】
【００２６】
【図１】カバーを装着した本発明によるシェーバーを上から見た斜視図である。
【図２】カバーを装着した本発明によるシェーバーを側方から見た斜視図である。
【図３】シェーバーヘッドに被装する本発明によるカバーの拡大図である。
【図４】シェーバーヘッドに被装する本発明によるカバーの拡大図である。
【図５】本発明によるカバーの変化実施例を示した図である。
【図６】本発明によるカバーの変化実施例を示した図である。
【図７】図５および図６の本発明によるカバーのスリットの拡大図である。
【図１】
2008522773.tif 000003
【図２】
2008522773.tif 000004
【図３】
2008522773.tif 000005
【図４】
2008522773.tif 000006
【図５】
2008522773.tif 000007
【図６】
2008522773.tif 000008
【図７】
2008522773.tif 000009
【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
シェーバーであって、少なくとも１つの網刃と、該網刃に対してモータ運転により相対的に振動する少なくとも１つのシェービング刃とを備えたシェーバーヘッド（２）と、該シェーバーヘッド（２）に被装するカバー（３）とが設けられている形式のものにおいて、カバー（３）が、シェービング刃の振動運動の方向（６）に対して横方向に延在している切欠き（５）を有しており、該切欠き（５）の長手方向軸線（７）が、少なくとも１つのシェービング刃の振動運動の方向（６）との間に、少なくとも部分的に９０°とは異なる角度を形成し、振動運動の方向に対して横方向で延びているスリット（５）が、振動運動の方向（６）に対して傾けられたスリット領域を交互に有しており、隣接するスリット領域の長手方向軸線（７）が、互いに８０〜１２０°の角度、特に９０°より大きい角度を形成していることを特徴とするシェーバー。
【請求項２】
切欠き（５）が、波形のスリットとして形成されている、請求項１記載のシェーバー並びにヘアーカッター。
【請求項３】
カバー（３）が、切欠き（５）の領域でシェーバーヘッドの包絡面に相応する形状を付与されている、請求項１から２までのいずれか一項記載のシェーバー。
【請求項４】
切欠き（５）の縁部と、カバー（３）の包絡面から突出している突起（８）または条片が、隣り合って配置されている、請求項１から３までのいずれか一項記載のシェーバー。
【請求項５】
切欠きの境界面が、切込みと突出部とを有しているか、または歯をもって形成されている、請求項１から４までのいずれか一項記載のシェーバー。
【請求項６】
互いに種々異なる材料厚さまたは包絡面の種々異なる曲率半径を有する複数のカバー（３）が、同一のシェーバーヘッド（２）をクランプするように被嵌可能である脚部をもって設けられている、請求項１から５までのいずれか一項記載のシェーバー。
【請求項７】
シェーバーに装着するためのカバーであって、少なくとも１つの網刃と、該網刃に対してモータ運転により相対的に振動する少なくとも１つのシェービング刃とを備えたシェーバーヘッド（２）が設けられている形式のものにおいて、カバー（３）が、シェービング刃の振動運動の方向に対して横方向に延在している切欠き（５）を有しており、該切欠き（５）の長手方向軸線（７）が、少なくとも１つのシェービング刃の振動運動の方向（６）との間に、少なくとも部分的に９０°とは異なる角度を形成し、振動運動の方向に対して横方向で延びているスリット（５）が、振動運動の方向（６）に対して傾けられたスリット領域を交互に有しており、隣接するスリット領域の長手方向軸線（７）が、互いに８０〜１２０°の角度、特に９０°より大きい角度を形成していることを特徴とする、シェーバーに装着するためのカバー。
【請求項８】
切欠き（５）が、波形のスリットとして形成されている、請求項７記載のカバー。
【請求項９】
カバー（３）が、切欠き（５）の領域で、シェーバーヘッドの包絡面に相応する形状を付与されている、請求項７または８記載のカバー。
【請求項１０】
切欠き（５）の縁部と、カバー（３）の包絡面から突出している突起（８）または条片が、隣り合って配置されている、請求項７から９までのいずれか一項記載のカバー。
【請求項１１】
切欠きの境界面が、切込みおよび突出部を有しているか、または歯をもって形成されている、請求項７から１０までのいずれか一項記載のカバー。
【請求項１２】
互いに種々異なる材料厚さまたは包絡面の種々異なる曲率半径を有する複数のカバー（３）が、同一のシェーバーヘッド（２）をクランプするように被嵌可能である脚部をもって設けられている、請求項７から１１までのいずれか一項記載のカバー。
【請求項１３】
シェービング刃の振動運動の方向（６）に対して横方向に延在している切欠き（５）が、振動運動の方向（６）で所定の幅を有しており、該幅が、この幅に対して横方向で測定した切欠きの長さよりも小さくなっており、切欠き（５）の長手方向軸線（７）は、少なくとも１つのシェービング刃の振動運動の方向（６）との間に、少なくとも部分的に９０°とは異なる角度を形成している、請求項７から１２までのいずれか一項記載のカバー。
【国際調査報告】
2008522773.tif 000010
2008522773.tif 000011
2008522773.tif 000012
2008522773.tif 000013